(57)【要約】【課題】島設備からパチンコ球に混入して流入してきた異物を容易に取り除くことができ、しかも、空中に浮遊するゴミの侵入を防止すること。さらに、従来の球止め部材を廃止し、部品点数の減少、コスト低減などを図ること。【解決手段】整流通路８の上向き開口部１０に下流側蓋部材１２を設け、蓋部材１２を操作することにより、上向き開口部１０を塞いだ状態で整流通路８から下流側へのパチンコ球の流下を許容する流下状態、上向き開口部１０を開口する開口状態、上向き開口部１０を塞いだ状態で整流通路８から下流側へのパチンコ球の流下を阻止する球止め状態、のいずれかの状態を選択できるよう構成される。【選択図】図１６
2004073747.tif 000002
【特許請求の範囲】
【請求項１】
島設備から供給されるパチンコ球を整流しながら下流側の球払出装置へ流下させる整流通路を備えるパチンコ遊技機において、
前記整流通路の上向き開口部に蓋部材を設け、該蓋部材を操作することにより、前記上向き開口部を塞いだ状態で前記整流通路から下流側へのパチンコ球の流下を許容する流下状態、前記上向き開口部を開口する開口状態、前記上向き開口部を塞いだ状態で前記整流通路から下流側へのパチンコ球の流下を阻止する球止め状態、のいずれかの状態を選択できるよう構成することを特徴とするパチンコ遊技機。
【請求項２】
前記蓋部材は前記整流通路の長手方向へ移動可能であり、該蓋部材の移動位置によって前記各状態が選択されることを特徴とする請求項１記載のパチンコ遊技機。
【発明の詳細な説明】
【０００１】
【発明の属する技術分野】
本発明は、パチンコ遊技機、特に、球払出装置へ球を流下させる整流通路の上向き開口部を塞ぐ蓋部材を有するパチンコ遊技機に関する。
【０００２】
【従来の技術】
パチンコ遊技機は、裏側に機構板を有しており、この機構板に、賞球の払出しを行なう球払出装置が組み付けられている。そして、球払出装置の上流には、島設備から供給されてきたパチンコ球を整流して球払出装置へ流下させる整流通路が設けられている。
【０００３】
ところで、島設備からパチンコ球に混入した異物がパチンコ遊技機に流入することがあり、異物によってパチンコ球の流下が阻止され、また、各部の故障が誘発されることがある。そのため、従来のパチンコ遊技機は、整流通路に上向き開口部を設け、パチンコ球に混入して異物が流入してきた場合に、上向き開口部を介して異物を容易に取り出せるようにしていた。
【０００４】
【発明が解決しようとする課題】
しかしながら、整流通路に上向き開口部を設けたことによって、空中を浮遊するゴミなどが整流通路に侵入し易くなるという新たな問題が発生した。
【０００５】
本発明は、上記の如き従来の問題点を解決し、島設備からパチンコ球に混入して流入してきた異物を容易に取り除くことができ、しかも、空中に浮遊するゴミの侵入を防止することができるパチンコ遊技機を提供することを主な目的とする。
【０００６】
さらに、本発明は、従来の球止め部材、つまり、球払出装置を機構板から取り外す際に上流側のパチンコ球の流下を阻止するために用いられる球止め部材を廃止し、部品点数の減少、コスト低減などを図ることができるパチンコ遊技機を提供することを目的とする。
【０００７】
【課題を解決するための手段】
請求項１に係るパチンコ遊技機は、島設備から供給されるパチンコ球を整流しながら下流側の球払出装置へ流下させる整流通路を備えるパチンコ遊技機において、前記整流通路の上向き開口部に蓋部材を設け、該蓋部材を操作することにより、前記上向き開口部を塞いだ状態で前記整流通路から下流側へのパチンコ球の流下を許容する流下状態、前記上向き開口部を開口する開口状態、前記上向き開口部を塞いだ状態で前記整流通路から下流側へのパチンコ球の流下を阻止する球止め状態、のいずれかの状態を選択できるよう構成することを特徴とする。
【０００８】
請求項１に係るパチンコ遊技機において、流下状態が選択されている場合には、整流通路から下流側へパチンコ球が流下可能となるため、パチンコ遊技機は、通常の遊技状態となる。このとき、整流通路の上向き開口部は蓋部材によって閉塞状態に保たれるため、空中に浮遊するゴミの整流通路への侵入を防止することができる。
【０００９】
また、開口状態が選択されている場合には、整流通路の上向き開口部が開口状態となるため、この開口部を介して、島設備からパチンコ球に混入して流入してきた異物を容易に取り除くことができる。
【００１０】
また、蓋部材によって球止め状態を選択可能であるため、従来からの別部材としての球止め部材を廃止することができ、部品点数の減少、コスト低減などを図ることができる。
【００１１】
請求項２に係るパチンコ遊技機は、請求項１において、前記蓋部材は前記整流通路の長手方向へ移動可能であり、該蓋部材の移動位置によって前記各状態が選択されることを特徴とする。このため、蓋部材を長手方向へ移動させる簡単な操作によって流下状態、開口状態及び球止め状態のいずれかを選択可能になる。
【００１２】
【発明の実施の形態】
以下、本発明の実施形態を図面に基づいて説明する。
【００１３】
図１及び図２は、全体として１つの分解斜視図を構成し、本発明の一実施形態に係るパチンコ遊技機の機構板及び機構板に組み付けられるケース類の分解斜視図である。図３は、機構板にケース類及び基板が組み付けられた状態の裏面図を示す。
【００１４】
図１〜図３において、１は、図示しない前面枠に対し開閉可能に組み付けられる機構板を表しており、機構板１は、ＡＢＳなどプラスチック製で一体成形され、中央部に、図示しない遊技盤の裏面側の組付部品を収容する窓２が形成され、全体として枠形状をしている。機構板１の右側部の上側蝶番取付部３には上側蝶番４がねじ止めされ、下側蝶番取付部５には下側蝶番６がねじ止めされ、機構板１は、上側蝶番４及び下側蝶番６により、図示しない前面枠に対して開閉可能とされる。
【００１５】
機構板１の取付面１００のタンク取付部Ａには、島設備からのパチンコ球の供給を上方から受けるタンク７がねじ止めされる。
【００１６】
機構板１の取付面１００においてタンク７の下流側に位置するタンクレール取付部Ｂには、タンク７から流下してきたパチンコ球を前後方向２列に整流するための整流通路８を有するタンクレール９がねじ止めされる。タンクレール９は上向き開口部１０を有しており、この上向き開口部１０は、上流側蓋部材１１と下流側蓋部材１２とで閉塞可能とされる。
【００１７】
タンク７、タンクレール９、上流側蓋部材１１及び下流側蓋部材１２は、いずれも導電性を有するプラスチック製例えばカーボン繊維入りＡＢＳ製であり、タンク７はアース板金１３を介してアース可能とされ、タンクレール９はアース板金１３又はアース板金１４を介してアース可能とされる。
【００１８】
機構板１の取付面１００においてタンクレール９の下流に位置する球払出装置取付部Ｃには、タンクレール９から流下してきたパチンコ球をカウントしながら払出しを行なうとともに上流側のパチンコ球を全て排出するための球抜きを行なう球払出装置１５（図３）が嵌合手段によって組み付けられる。球払出装置１５のカウンタケース１６は、左右方向に２分割されねじ結合される左側カウンタケース１７と右側カウンタケース１８とから構成される。カウンタケース１６は、導電性を有するプラスチック製例えばカーボン繊維入りＡＢＳ製であり、アース板金１４を介してアース可能とされる。
【００１９】
機構板１の取付面１００において球払出装置１５の下流側に位置する受皿誘導樋取付部Ｄには、球払出し時に球払出装置１５から流下してくるパチンコ球を受皿（図示せず）へ誘導するとともに球抜き時に球払出装置１５から流下してくるパチンコ球を排出口１９ａへ誘導する受皿誘導樋１９がねじ止めされる。受皿誘導樋１９は、前後方向に２分割された前側受皿誘導樋２０と後側受皿誘導樋２１とから構成される。受皿誘導樋１９は、導電性を有するプラスチック製例えばカーボン繊維入りＡＢＳ製であり、下側蝶番６を介してアース可能とされる。
【００２０】
受皿誘導樋１９の裏面１９ｂには、球払出装置１５の球払出を制御する払出制御基板２２を収容する払出制御ボックス２３が組み付けられる。払出制御ボックス２３は、前後方向に２分割された前側払出制御ボックス２４と後側払出制御ボックス２５とをねじ結合により一体化して構成される。なお、符号２６は、払出制御基板２２のリセットピン、２７は、払出制御ボックス２３にねじ止めされるプリペイドカードユニットへの中継基板ケースを表している。
【００２１】
機構板１の取付面１００における上端コーナーの電源中継基板取付部Ｅには、電源中継基板２８を収容する電源中継基板ケース２９が組み付けられる。電源中継基板ケース２９は、前後方向に２分割された前側電源中継基板ケース３０と後側電源中継基板ケース３１とをねじ結合により一体化して構成される。
【００２２】
機構板１の取付面１００における下端の電源基板取付部Ｆには、電源基板３２を収容する電源基板ケース３３が組み付けられる。電源基板ケース３３は、前後方向に２分割された前側電源基板ケース３４と後側電源基板ケース３５とを嵌合手段により一体化して構成される。
【００２３】
機構板１の取付面１００における下部の基板取付部Ｇには、基板ユニットベース３６が組み付けられる。基板ユニットベース３６には、基板ユニットカバー３７及び配線カバー３８がねじ止めされ、基板ユニットカバー３７に、主基板（図示せず）を収容する主基板ケース４０が組み付けられる。主基板ケース４０は、前後方向に２分割された前側主基板ケース４１と後側主基板ケース４２とを一体化して構成される。
【００２４】
機構板１の取付面１００の左側部には、上側軸受部４３と下側軸受部４４とが形成されており、役物カバー４５の左側部に形成された上側軸部及び下側軸部（図２には現れていない。）がそれぞれ上側軸受部４３及び下側軸受部４４に回動自在に保持され、役物カバー４５は、機構板１の窓２を開閉する。役物カバー４５は、役物カバー４５の右側部に形成された弾性係止爪４５ａが機構板１の右側部に形成された係止孔４６に係止されることによって閉状態に保持される。
【００２５】
機構板１の取付面１００とは反対側の面における下部の入賞球通路取付部Ｈには、入賞球通路ケース４７が組み付けられる。入賞球通路ケース４７は、前後方向に２分割された入賞球通路ケース本体４８と入賞球通路ケース板４９とを一体化して構成される。入賞球通路ケース４８は、導電性を有するプラスチック製例えばカーボン繊維入りＡＢＳ製である。
【００２６】
機構板１の下部には、受皿に通じる貫通孔５０が形成されており、この貫通孔５０に球出口防犯板金５１が挿通される。なお、符号５２及び５３は、それぞれ配線押さえ部材を表している。
【００２７】
図４は、機構板１の取付面１００のタンクレール取付部Ｂの拡大斜視図、図５及び図６は、それぞれタンクレール９の平面図及び背面図、図７、図８及び図９は、それぞれ上流側蓋部材１１の平面図、正面図及び底面図、図１０、図１１及び図１２は、下流側蓋部材１２の平面図、正面図及び底面図、図１３及び図１４は、それぞれ、タンクレール９に上流側蓋部材１１及び下流側蓋部材１２を取り付け、流下状態を選択しているときの平面図及び正面図、図１５及び図１６は、図１３及び図１４に示す流下状態から下流側蓋部材１２を移動して球止め状態を選択したときの平面図及び正面図、図１７は、図１３及び図１４に示す流下状態から下流側蓋部材１２を移動して開口状態を選択したときの平面図を示す。
【００２８】
図４に示すように、タンクレール取付部Ｂにおいて、球払出装置取付部Ｃの上方に、タンクレール９を機構板１に組み付ける作業の際に位置決め作用を発揮するボス５４が形成されており、また、このボス５４に、タンクレール９の下流側端部を固定するためのねじがねじ込まれるねじ孔５４ａが形成されている。また、タンクレール取付部Ｂの左右方向中央部に、上向きに開口した倒れ防止溝部５５が形成されている。この倒れ防止溝部５５は、後述するタンクレール９の係止舌部５６を保持することによって、タンクレール９内のパチンコ球の重量でタンクレール９が傾くのを防止する作用を発揮する。また、タンクレール取付部Ｂの左端部に、タンクレール９の上流側端部を固定するためのねじがねじ込まれるねじ孔５７が形成されている。さらに、タンクレール取付部Ｂのボス５４と倒れ防止溝部５５との間に、タンクレール９の左右方向中央部を固定するためのねじがねじ込まれるボス５８が形成されている。
【００２９】
図５及び図６に示すように、タンクレール９は、正面壁部５９と背面壁部６０と左側面壁部６１と右側面壁部６２と底面壁部６３とで囲まれた袋形状をしており、正面壁部５９と背面壁部６０との間に中央隔壁部６４が底面壁部６３から立設されており、中央隔壁部６４を挟んで前側整流通路８Ａ及び後側整流通路８Ｂからなる整流通路８を形成している。前側整流通路８Ａ及び後側整流通路８Ｂは、それぞれ、基本的に、タンク７から流下してきた複数列及び複数段の不規則な球の流れを上流側整列部９ａにおいて単数列の流れに整列し、さらに、この単数列の流れを下流側整列部９ｂにおいて単数段の流れに整列して球払出装置１５に供給するよう構成されている。
【００３０】
背面壁部６０の外面において、下流側の端部には、円筒リブ６５が水平に形成されており、また、長手方向中央部には、下向きの係止舌部５６が形成されており、また、上流側の端部には、垂直な取付板部６６が形成されており、さらに、背面壁部６０の長手方向中央部には、ねじ挿通孔６７及び位置決め孔６８が形成されている。円筒リブ６５は、機構板１のタンクレール取付部Ｂのボス５４に外嵌され、ねじでボス５４に固定される。係止舌部５６は、タンクレール取付部Ｂの倒れ防止溝部５５に上方から挿入され、倒れ防止溝部５５によって保持されることによって、タンクレール９内のパチンコ球の重量でタンクレール９が傾くのを防止する作用を発揮する。取付板部６６には、ねじ挿通孔６９が形成されており、これらのねじ挿通孔６９にねじを通し、タンクレール取付部Ｂのねじ孔５７にねじ込むことによって取付板部６６は機構板１に固定される。
【００３１】
正面壁部５９の内面における下流側の上端部には、左右方向に間隔をおいて２つのリブ７０，７１が形成され、また、背面壁部６０の内面における下流側の端部には、リブ７２が形成されている。これらのリブ７０，７１，７２は、中央隔壁部６４の上面６４ａと共同して下流側蓋部材１２を挟持し、下流側蓋部材１２をタンクレール９に係留させながら左右方向へ移動可能にする。さらに、背面壁部６０に形成されたリブ７２は、後述するように、下流側蓋部材１２を下流側へ引き出し、後述する開口状態を選択したとき、下流側蓋部材１２のタンクレール９からの脱落を防止するストッパーの作用も発揮する。
【００３２】
右側面壁部６２の上端部には、下流側蓋部材１２の後述する位置決め用凹部７３と係合可能な位置決め用凸部７４が形成されており、凹部７３と凸部７４とが係合することにより、下流側蓋部材１２の左右方向位置が固定され、後述する流下状態が保たれる。また、右側面壁部６２は、下流側蓋部材１２を左右方向へ移動する際に、後述する球止めリブ７５，７６が右側面壁部６２と干渉しないための切欠溝７７，７８を凸部７４の前後に有している。
【００３３】
底面壁部６３の下流側端部には、整列されたパチンコ球を球払出装置１５に流下させる２つの球供給孔７９，８０が左右方向にずれて形成されている。
【００３４】
下流側整列部９ｂには、上流側蓋部材１１と下流側蓋部材１２が組み付けられる。
【００３５】
図７〜図９に示すように、上流側蓋部材１１は、左右方向に長い四角形板状の蓋本体部８１と、この蓋本体部８１の下流側端部から延びたガイド板部８２と、蓋本体部８１の下面上流側から下方へ延びた位置決め機構部８３と、蓋本体部８１の上面奥側から上方へ延びた位置決め固定板部８４とから構成される。
【００３６】
蓋本体部８１の幅は、下流側整列部９ｂの通路幅とほぼ一致しており、ガイド板部８２の幅は、蓋本体部８１よりも一回り狭い。
【００３７】
ガイド板部８２は、蓋本体部８１の上面から延びており、蓋本体部８１の下流側端面８１ａとガイド板部８２の下面８２ａとによって段差面８５が形成されている。
【００３８】
位置決め機構部８３の下部には、タンクレール９の中央隔壁部６４に嵌まり上流側蓋部材１１を中央隔壁部６４に沿って摺動可能にするガイド溝８６が形成されている。
【００３９】
位置決め固定板部８４には、ねじ挿通孔８７が形成されているとともに外面に位置決めリブ８８が形成されている。ねじ挿通孔８７は、上流側蓋部材１１をタンクレール９に組み付けた状態でタンクレール９を機構板１に組み付ける際に、タンクレール９のねじ挿通孔６７及び機構板１のボス５８のねじ孔５８ａと対向し、ねじ挿通孔８７及びねじ挿通孔６７にねじを通しねじ孔５８ａにねじ込むことによってタンクレール９の背面壁部６０は機構板１に固定される。位置決めリブ８８は、上流側蓋部材１１をタンクレール９に組み付けたとき、タンクレール９の背面壁部６０の位置決め孔６８内に収容され、タンクレール９に対して上流側蓋部材１１の位置決めを行なう位置決め作用を発揮する。
【００４０】
上流側蓋部材１１のタンクレール９への組付作業は、位置決め機構部８３のガイド溝８６をタンクレール９の上流側整列部９ａにおける中央隔壁部６４に嵌め、この嵌合状態を保ちながら中央隔壁部６４の上面６４ａを滑らせながら下流側へ移動させ、位置決めリブ８８が背面壁部６０を押し広げて位置決め孔６８内に収容させるようにする。このような組付作業によって上流側蓋部材１１をタンクレール９に組み付けることができる。
【００４１】
図１０〜図１２に示すように、下流側蓋部材１２は、上面に凸部８９を有し、凸部８９は、上流側端部かつ背面側に形成されている。凸部８９の下流側端面８９ａは、下流側蓋部材１２を下流側へ引き出し、後述する開口状態を選択したとき、下流側蓋部材１２のタンクレール９からの脱落を防止するストッパーの作用をする。
【００４２】
下流側蓋部材１２は、下流側端部の中央部に、下流側へ突出した操作レバー９０を有する。操作レバー９０は、下流側端部が上方へ弾性変形するよう構成されている。操作レバー９０の下面には、タンクレール９の位置決め用凸部７４と係合可能な位置決め用凹部７３が形成されており、凹部７３と凸部７４が係合することにより、下流側蓋部材１２の左右方向位置が固定され、後述する流下状態が保たれる。この凹部７３を形成している上流側の壁部９１は、下面９１ａが緩やかな傾斜面で構成され、正面視三角形状に形成されている。この壁部９１は、下流側蓋部材１２を下流側へ引き出した状態から上流側へ移動する際、操作レバー９０の弾性変形に基づいて下面（傾斜面）９１ａがタンクレール９の位置決め用凸部７４に乗り上げ、凹部７３を凸部７４と係合する位置まで円滑に案内する作用をする。
【００４３】
操作レバー９０を挟むようにして、下流側蓋部材１２の下面に２つの正面視三角形状の球止めリブ７５，７６が形成されている。２つの球止めリブ７５，７６は、それぞれタンクレール９の前側整流通路８Ａ及び後側整流通路８Ｂに対応して形成されており、後述する球止め状態を選択したとき、整流通路８内の先頭のパチンコ球を下流側から受け止め、球払出装置１５へのパチンコ球の供給を阻止する作用をする。
【００４４】
下流側蓋部材１２のタンクレール９への組付作業は、下流側整列部９ｂの中央隔壁部６４の上面６４ａに下流側蓋部材１２をセットし、中央隔壁部６４の上面６４ａを滑らせながら下流側蓋部材１２を下流側へ移動させ、凹部７３を形成している下流側の壁部９２が下流側整列部９ｂの凸部７４と当接するようにする。このとき、下流側蓋部材１２の下流側端部は、３つのリブ７０，７１，７２と中央隔壁部６４の上面６４ａとによって挟持された状態となる。その後、操作レバー９０を指で持ち上げ操作レバー９０を上方へ反らせるように弾性変形させながら下流側へ少し引っ張り、壁部９２が凸部７４を乗り越えるようにする。そして、壁部９２が凸部７４を乗り越えたとき、操作レバー９０から指を離して操作レバー９０を弾性復帰させ、凹部７３を凸部７４に係合させる。このような組付作業によって下流側蓋部材１２をタンクレール９に組み付けることができる。
【００４５】
パチンコ遊技機が通常の遊技状態にあるとき、下流側蓋部材１２はタンクレール９及び上流側蓋部材１１に対し図１３及び図１４に示すような状態となっている。つまり、下流側蓋部材１２は上向き開口部１０を塞いだ状態にあり、また、下流側蓋部材１２の凹部７３はタンクレール９の凸部７４と係合し、下流側蓋部材１２がタンクレール９に固定され移動できない状態に保たれる。また、下流側蓋部材１２の球止めリブ７５，７６は下流側に位置し、整流通路８内のパチンコ球は下流側の球払出装置１５に流下できるようになっている。換言すると、下流側蓋部材１２は、整流通路８から下流側へのパチンコ球の流下を許容する流下状態をつくっている。
【００４６】
次に、上記のような流下状態から下流側蓋部材１２の操作レバー９０を指で持ち上げ操作レバー９０を上方へ反らせるように弾性変形させながら上流側へ少し押し、壁部９２が凸部７４を乗り越えるようにする。そして、壁部９２が凸部７４を乗り越えたとき、操作レバー９０から指を離して操作レバー９０を弾性復帰させる。操作レバー９０が弾性復帰した状態では、下流側蓋部材１２はタンクレール９及び上流側蓋部材１１に対し図１５及び図１６に示すような状態となっている。つまり、下流側蓋部材１２の上流側端面１２ａは、上流側蓋部材１１の蓋本体部８１の下流側端面８１ａとほぼ当接した状態となり、下流側蓋部材１２の上流側への移動が規制され、また、下流側蓋部材１２の壁部９２の下流側端面９２ａは、タンクレール９の凸部７４の上流側端面７４ａとほぼ当接した状態となり、下流側蓋部材１２の下流側への移動が規制される。また、操作レバー９０が弾性復帰した状態では、球止めリブ７５，７６は整流通路８内の先頭のパチンコ球を下流側から受け止めた状態となっており、整流通路８内のパチンコ球は下流側の球払出装置１５に流下できない状態となる。換言すると、下流側蓋部材１２は、整流通路８から下流側へのパチンコ球の流下を阻止する球止め状態をつくっている。
【００４７】
その後、球止め状態から流下状態へ戻すときは、操作レバー９０を指で持ち上げ操作レバー９０を上方へ反らせるように弾性変形させながら下流側へ少し引っ張り、壁部９２が凸部７４を乗り越えるようにする。そして、壁部９２が凸部７４を乗り越えたとき、操作レバー９０から指を離して操作レバー９０を弾性復帰させる。操作レバー９０が弾性復帰した状態では、凹部７３が凸部７４と係合しており、下流側蓋部材１２は流下状態をつくっている。
【００４８】
一方、上記のような流下状態から下流側蓋部材１２の操作レバー９０を指で上方へ持ち上げ操作レバー９０を上方へ反らせるように弾性変形させながら下流側へ少し引っ張り、上流側の壁部９１が凸部７４を乗り越えるようにする。そして、壁部９１が凸部７４を乗り越えた後は、操作レバー９０を弾性復帰させた後、操作レバー９０を、下流側蓋部材１２の凸部８９がタンクレール９のリブ７２と当接するようになるまで下流側へ引っ張る。凸部８９がリブ７２と当接した状態では、下流側蓋部材１２はタンクレール９及び上流側蓋部材１１に対し図１７に示す状態となっている。つまり、下流側蓋部材１２は、整流通路８の上向き開口部１０を開口する開口状態をつくっている。
【００４９】
その後、開口状態から流下状態へ戻すときは、操作レバー９０を指で上流側へ押し、下流側蓋部材１２の上流側の壁部９１の下面（傾斜面）９１ａがタンクレール９の凸部７４に乗り上げた後に、凹部７３が凸部７４と係合するようにする。
【００５０】
以上説明したように、本実施形態に係るパチンコ遊技機は、島設備から供給されるパチンコ球を整流しながら下流側の球払出装置１５へ流下させる整流通路８を備えるパチンコ遊技機において、整流通路８の上向き開口部１０に蓋部材（下流側蓋部材１２）を設け、蓋部材１２を操作することにより、上向き開口部１０を塞いだ状態で整流通路８から下流側へのパチンコ球の流下を許容する流下状態、上向き開口部１０を開口する開口状態、上向き開口部１０を塞いだ状態で整流通路８から下流側へのパチンコ球の流下を阻止する球止め状態、のいずれかの状態を選択できるよう構成される。
【００５１】
そして、流下状態が選択されている場合には、整流通路８から下流側へパチンコ球が流下可能となるため、パチンコ遊技機は、通常の遊技状態となる。このとき、整流通路８の上向き開口部１０は蓋部材１２によって閉塞状態に保たれるため、空中に浮遊するゴミの整流通路８への侵入を防止することができる。
【００５２】
また、開口状態が選択されている場合には、整流通路８の上向き開口部１０が開口状態となるため、この開口部１０を介して、島設備からパチンコ球に混入して流入してきた異物を容易に取り除くことができる。
【００５３】
また、蓋部材１２によって球止め状態を選択可能であるため、従来からの別部材としての球止め部材を廃止することができ、部品点数の減少、コスト低減などを図ることができる。
【００５４】
また、本実施形態に係るパチンコ遊技機は、蓋部材１２は整流通路８の長手方向へ移動可能であり、蓋部材１２の移動位置によって各状態が選択される。このため、蓋部材１２を長手方向へ移動させる簡単な操作によって流下状態、開口状態及び球止め状態のいずれかを選択可能になる。
【００５５】
【発明の効果】
本発明のパチンコ遊技機によると、島設備からパチンコ球に混入して流入してきた異物を容易に取り除くことができ、しかも、空中に浮遊するゴミの侵入を防止することができる。さらに、従来の球止め部材を廃止し、部品点数の減少、コスト低減などを図ることができる。
【図面の簡単な説明】
【図１】図２と共に全体として１つの分解斜視図を構成し、本発明の一実施形態に係るパチンコ遊技機の機構板及び機構板に組み付けられるケース類の分解斜視図である。
【図２】図１と共に全体として１つの分解斜視図を構成し、本発明の一実施形態に係るパチンコ遊技機の機構板及び機構板に組み付けられるケース類の分解斜視図である。
【図３】機構板にケース類及び基板が組み付けられた状態の裏面図である。
【図４】機構板の取付面のタンクレール取付部の拡大斜視図である。
【図５】タンクレールの平面図である。
【図６】タンクレールの背面図である。
【図７】上流側蓋部材の平面図である。
【図８】上流側蓋部材の正面図である。
【図９】上流側蓋部材の底面図である。
【図１０】下流側蓋部材の平面図である。
【図１１】下流側蓋部材の正面図である。
【図１２】下流側蓋部材の底面図である。
【図１３】タンクレールに上流側蓋部材及び下流側蓋部材を取り付け、流下状態を選択しているときの平面図である。
【図１４】タンクレールに上流側蓋部材及び下流側蓋部材を取り付け、流下状態を選択しているときの正面図である。
【図１５】図１３及び図１４に示す流下状態から下流側蓋部材を移動して球止め状態を選択したときの平面図である。
【図１６】図１３及び図１４に示す流下状態から下流側蓋部材を移動して球止め状態を選択したときの正面図である。
【図１７】図１３及び図１４に示す流下状態から下流側蓋部材を移動して開口状態を選択したときの平面図である。
【符号の説明】
８　　整流通路
１０　　上向き開口部
１２　　下流側蓋部材（蓋部材）
１５　　球払出装置
【図１】
2004073747.tif 000003
【図２】
2004073747.tif 000004
【図３】
2004073747.tif 000005
【図４】
2004073747.tif 000006
【図５】
2004073747.tif 000007
【図６】
2004073747.tif 000008
【図７】
2004073747.tif 000009
【図８】
2004073747.tif 000010
【図９】
2004073747.tif 000011
【図１０】
2004073747.tif 000012
【図１１】
2004073747.tif 000013
【図１２】
2004073747.tif 000014
【図１３】
2004073747.tif 000015
【図１４】
2004073747.tif 000016
【図１５】
2004073747.tif 000017
【図１６】
2004073747.tif 000018
【図１７】
2004073747.tif 000019